(57)【要約】【課題】施工管理に必要となるデータを効率よく作成できる施工管理支援システム、施工管理支援プログラム及び施工管理支援プログラムセットを提供すること。【解決手段】施工管理支援システム１は、複数のオブジェクトを組み合わせて構成された画像データであって、それぞれのオブジェクトの部位情報及び材質情報を含む第１情報と、それぞれのオブジェクトの仕様情報を含む第２情報と、を含む画像データから、第１情報と第２情報とを関連付けて抽出して第１データセットを生成する第１処理部１０と、全種類の第１情報と、それぞれの第１情報に対応する工種に関する工種情報、当該工種情報に対応する単価情報及び当該工種情報に対応する時間歩掛情報のうち少なくとも１つを含む第２データセットから、第１データセットに含まれる第１情報に対応するデータを、第１情報と第２情報と関連付けて抽出して第３データセットを生成する第２処理部２０と、を含む。【選択図】図１
2014203292.tif 000002
【特許請求の範囲】
【請求項１】
複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、
全種類の前記第１情報と、それぞれの前記第１情報に対応する工種に関する工種情報、前記工種情報に対応する単価情報及び前記工種情報に対応する時間歩掛情報のうち少なくとも１つを含む第２データセットから、前記第１データセットに含まれる前記第１情報に対応するデータを、前記第１情報と前記第２情報と関連付けて抽出して第３データセットを生成する第２処理部と、
を含む、施工管理支援システム。
【請求項２】
複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、
全種類の前記第１情報と、それぞれの前記第１情報に対応する工種に関する工種情報、前記工種情報に対応する単価情報及び前記工種情報に対応する時間歩掛情報のうち少なくとも１つを含む第２データセットから、前記第１データセットに含まれる前記第１情報に対応するデータを、前記第１情報と前記第２情報と関連付けて抽出して第３データセットを生成する第２処理部と、
してコンピューターを機能させる、施工管理支援プログラム。
【請求項３】
複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部としてコンピューターを機能させる第１プログラムと、
全種類の前記第１情報と、それぞれの前記第１情報に対応する工種に関する工種情報、前記工種情報に対応する単価情報及び前記工種情報に対応する時間歩掛情報のうち少なくとも１つを含む第２データセットから、前記第１データセットに含まれる前記第１情報に対応するデータを、前記第１情報と前記第２情報と関連付けて抽出して第３データセットを生成する第２処理部としてコンピューターを機能させる第２プログラムと
を含む、施工管理支援プログラムセット。
【請求項４】
複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、
全種類の工種に対応する工種情報と、前記工種を必要とする前記オブジェクトの前記第１情報とを含む第４データセットから、前記第１データセットに含まれる前記第１情報に対応するデータを、前記工種情報と前記第１情報とを関連付けて抽出して第５データセットを生成する第３処理部と、
を含む、施工管理支援システム。
【請求項５】
複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、
全種類の工種に対応する工種情報と、前記工種を必要とする前記オブジェクトの前記第１情報とを含む第４データセットから、前記第１データセットに含まれる前記第１情報に対応するデータを、前記工種情報と前記第１情報とを関連付けて抽出して第５データセットを生成する第３処理部と、
してコンピューターを機能させる、施工管理支援プログラム。
【請求項６】
複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部としてコンピューターを機能させる第１プログラムと、
全種類の工種に対応する工種情報と、前記工種を必要とする前記オブジェクトの前記第１情報とを含む第４データセットから、前記第１データセットに含まれる前記第１情報に対応するデータを、前記工種情報と前記第１情報とを関連付けて抽出して第５データセットを生成する第３処理部としてコンピューターを機能させる第２プログラムと、
を含む、施工管理支援プログラムセット。
【請求項７】
複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部と、
前記第１情報が仮設足場である旨の情報である場合には、それぞれの前記第２情報に対応する前記部材の種別に対応する部材情報、前記部材の単価情報及び前記部材の重量情報のうち少なくとも１つを含む第６データセットから、前記第１データセットに含まれる前記第２情報に対応するデータを、前記第２情報と関連付けて抽出して第７データセットを生成する第４処理部と、
を含む、施工管理支援システム。
【請求項８】
複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部と、
前記第１情報が仮設足場である旨の情報である場合には、それぞれの前記第２情報に対応する前記部材の種別に対応する部材情報、前記部材の単価情報及び前記部材の重量情報のうち少なくとも１つを含む第６データセットから、前記第１データセットに含まれる前記第２情報に対応するデータを、前記第２情報と関連付けて抽出して第７データセットを生成する第４処理部と、
してコンピューターを機能させる、施工管理支援プログラム。
【請求項９】
複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部としてコンピューターを機能させる第１プログラムと、
前記第１情報が仮設足場である旨の情報である場合には、それぞれの前記第２情報に対応する前記部材の種別に対応する部材情報、前記部材の単価情報及び前記部材の重量情報のうち少なくとも１つを含む第６データセットから、前記第１データセットに含まれる前
記第２情報に対応するデータを、前記第２情報と関連付けて抽出して第７データセットを生成する第４処理部としてコンピューターを機能させる第２プログラムと、
を含む、施工管理支援プログラムセット。
【請求項１０】
複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部と、
前記第１情報が仮設足場である旨の情報である場合には、前記第１データセットに含まれる前記第２情報に対応する前記オブジェクトで必要とされる前記部材の種別に対応する必要部材情報と、前記部材の種別ごとの合計数量に対応する数量情報と、それぞれの前記第２情報に対応する前記部材の種別に対応する部材情報及び前記部材の重量情報を含む第６データセットと前記部材情報及び前記数量情報とに基づいて算出される前記部材の種別ごとの合計重量に対応する合計重量情報と、を関連付けて第８データセットを生成する第５処理部と、
を含む、施工管理支援システム。
【請求項１１】
請求項１０に記載の施工管理支援システムにおいて、さらに、
トラック１台あたりの積載量に対応する積載量情報と、前記第８データセットに含まれる前記必要部材情報、前記数量情報及び前記重量情報に基づいて、トラック１台あたりの前記必要部材情報、前記数量情報及び前記重量情報を算出し、トラック１台あたりの前記必要部材情報、前記数量情報及び前記重量情報を関連付けて第９データセットを生成する第６処理部を含む、施工管理支援システム。
【請求項１２】
複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部と、
前記第１情報が仮設足場である旨の情報である場合には、前記第１データセットに含まれる前記第２情報に対応する前記オブジェクトで必要とされる前記部材の種別に対応する必要部材情報と、前記部材の種別ごとの合計数量に対応する数量情報と、それぞれの前記第２情報に対応する前記部材の種別に対応する部材情報及び前記部材の重量情報を含む第６データセットと前記部材情報及び前記数量情報とに基づいて算出される前記部材の種別ごとの合計重量に対応する合計重量情報と、を関連付けて第８データセットを生成する第５処理部と、
してコンピューターを機能させる、施工管理支援プログラム。
【請求項１３】
請求項１２に記載の施工管理支援プログラムにおいて、さらに、
トラック１台あたりの積載量に対応する積載量情報と、前記第８データセットに含まれる前記必要部材情報、前記数量情報及び前記重量情報に基づいて、トラック１台あたりの前記必要部材情報、前記数量情報及び前記重量情報を算出し、トラック１台あたりの前記必要部材情報、前記数量情報及び前記重量情報を関連付けて第９データセットを生成する第６処理部としてコンピューターを機能させる、施工管理支援プログラム。
【請求項１４】
複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して
第１データセットを生成する第１処理部としてコンピューターを機能させる第１プログラムと、
前記第１情報が仮設足場である旨の情報である場合には、前記第１データセットに含まれる前記第２情報に対応する前記オブジェクトで必要とされる前記部材の種別に対応する必要部材情報と、前記部材の種別ごとの合計数量に対応する数量情報と、それぞれの前記第２情報に対応する前記部材の種別に対応する部材情報及び前記部材の重量情報を含む第６データセットと前記部材情報及び前記数量情報とに基づいて算出される前記部材の種別ごとの合計重量に対応する合計重量情報と、を関連付けて第８データセットを生成する第５処理部としてコンピューターを機能させる第２プログラムと、
を含む、施工管理支援プログラムセット。
【請求項１５】
請求項１４に記載の施工管理支援プログラムにおいて、
前記第２プログラムは、さらに、
トラック１台あたりの積載量に対応する積載量情報と、前記第８データセットに含まれる前記必要部材情報、前記数量情報及び前記重量情報に基づいて、トラック１台あたりの前記必要部材情報、前記数量情報及び前記重量情報を算出し、トラック１台あたりの前記必要部材情報、前記数量情報及び前記重量情報を関連付けて第９データセットを生成する第６処理部としてコンピューターを機能させる、施工管理支援プログラムセット。
【発明の詳細な説明】
【技術分野】
【０００１】
本発明は、施工管理支援システム、施工管理支援プログラム及び施工管理支援プログラムセットに関する。
【背景技術】
【０００２】
建設工事のコストやスケジュールを管理するための施工管理システムが開発されている。施工管理システムの一例が、特許文献１に提案されている。
【先行技術文献】
【特許文献】
【０００３】
【特許文献１】米国特許出願公開第２００８／０１２６０２５号明細書
【発明の概要】
【発明が解決しようとする課題】
【０００４】
施工管理システムを活用するためには、施工管理に必要となるデータを効率よく作成することが重要となる。
【０００５】
本発明は、以上のような技術的課題に鑑みてなされたものである。本発明のいくつかの態様によれば、施工管理に必要となるデータを効率よく作成できる施工管理支援システム、施工管理支援プログラム及び施工管理支援プログラムセットを提供することができる。
【課題を解決するための手段】
【０００６】
（１）本発明に係る施工管理支援システムは、複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、全種類の前記第１情報と、それぞれの前記第１情報に対応する工種に関する工種情報、前記工種情報に対応する単価情報及び前記工種情報に対応する時間歩掛情報のうち少なくとも１つを含む第２データセットから、前記第１データセットに含まれる前記第１情報に対応するデータを、前記第１情報と前記第２情報と関連付けて抽出して第３データセットを生成する第２処理部と、を含む、施工管理支援システムである。
【０００７】
（２）本発明に係る施工管理支援プログラムは、複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、全種類の前記第１情報と、それぞれの前記第１情報に対応する工種に関する工種情報、前記工種情報に対応する単価情報及び前記工種情報に対応する時間歩掛情報のうち少なくとも１つを含む第２データセットから、前記第１データセットに含まれる前記第１情報に対応するデータを、前記第１情報と前記第２情報と関連付けて抽出して第３データセットを生成する第２処理部と、してコンピューターを機能させる、施工管理支援プログラムである。
【０００８】
（３）本発明に係る施工管理支援プログラムセットは、複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前
記画像データから、前記第１情報と前記第２情報とを関連付けて抽出して第１データセットを生成する第１処理部としてコンピューターを機能させる第１プログラムと、全種類の前記第１情報と、それぞれの前記第１情報に対応する工種に関する工種情報、前記工種情報に対応する単価情報及び前記工種情報に対応する時間歩掛情報のうち少なくとも１つを含む第２データセットから、前記第１データセットに含まれる前記第１情報に対応するデータを、前記第１情報と前記第２情報と関連付けて抽出して第３データセットを生成する第２処理部としてコンピューターを機能させる第２プログラムとを含む、施工管理支援プログラムセットである。
【０００９】
（４）本発明に係る施工管理支援システムは、複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、全種類の工種に対応する工種情報と、前記工種を必要とする前記オブジェクトの前記第１情報とを含む第４データセットから、前記第１データセットに含まれる前記第１情報に対応するデータを、前記工種情報と前記第１情報とを関連付けて抽出して第５データセットを生成する第３処理部と、を含む、施工管理支援システムである。
【００１０】
（５）本発明に係る施工管理支援プログラムは、複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、全種類の工種に対応する工種情報と、前記工種を必要とする前記オブジェクトの前記第１情報とを含む第４データセットから、前記第１データセットに含まれる前記第１情報に対応するデータを、前記工種情報と前記第１情報とを関連付けて抽出して第５データセットを生成する第３処理部と、してコンピューターを機能させる、施工管理支援プログラムである。
【００１１】
（６）本発明に係る施工管理支援プログラムセットは、複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部としてコンピューターを機能させる第１プログラムと、全種類の工種に対応する工種情報と、前記工種を必要とする前記オブジェクトの前記第１情報とを含む第４データセットから、前記第１データセットに含まれる前記第１情報に対応するデータを、前記工種情報と前記第１情報とを関連付けて抽出して第５データセットを生成する第３処理部としてコンピューターを機能させる第２プログラムと、を含む、施工管理支援プログラムセットである。
【００１２】
（７）本発明に係る施工管理支援システムは、複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部と、前記第１情報が仮設足場である旨の情報である場合には、それぞれの前記第２情報に対応する前記部材の種別に対応する部材情報、前記部材の単価情報及び前記部材の重量情報のうち少なくとも１つを含む第６データセットから、前記第１データセットに含まれる前記第２情報に対応するデータを、前記第２情報と関連付けて抽出して第７データセットを生成する第４処理部と、を含む、施工管理支援システムである。
【００１３】
（８）本発明に係る施工管理支援プログラムは、複数のオブジェクトを組み合わせて構成された画像データであって、それぞれの前記オブジェクトの部位情報及び材質情報を含む第１情報と、それぞれの前記オブジェクトの仕様情報を含む第２情報と、を含む前記画像データから、前記第１情報と前記第２情報とを関連付けて抽出して第１データセットを生成する第１処理部と、全種類の工種に対応する工種情報と、前記工種を必要とする前記オブジェクトの前記第１情報とを含む第４データセットから、前記第１データセットに含まれる前記第１情報に対応するデータを、前記工種情報と前記第１情報とを関連付けて抽出して第５データセットを生成する第３処理部と、してコンピューターを機能させる、施工管理支援プログラムである。
【００１４】
（９）本発明に係る施工管理支援プログラムセットは、複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部としてコンピューターを機能させる第１プログラムと、前記第１情報が仮設足場である旨の情報である場合には、それぞれの前記第２情報に対応する前記部材の種別に対応する部材情報、前記部材の単価情報及び前記部材の重量情報のうち少なくとも１つを含む第６データセットから、前記第１データセットに含まれる前記第２情報に対応するデータを、前記第２情報と関連付けて抽出して第７データセットを生成する第４処理部としてコンピューターを機能させる第２プログラムと、を含む、施工管理支援プログラムセットである。
【００１５】
（１０）本発明に係る施工管理支援システムは、複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部と、前記第１情報が仮設足場である旨の情報である場合には、前記第１データセットに含まれる前記第２情報に対応する前記オブジェクトで必要とされる前記部材の種別に対応する必要部材情報と、前記部材の種別ごとの合計数量に対応する数量情報と、それぞれの前記第２情報に対応する前記部材の種別に対応する部材情報及び前記部材の重量情報を含む第６データセットと前記部材情報及び前記数量情報とに基づいて算出される前記部材の種別ごとの合計重量に対応する合計重量情報と、を関連付けて第８データセットを生成する第５処理部と、を含む、施工管理支援システムである。
【００１６】
（１１）上述の施工管理支援システムにおいて、さらに、トラック１台あたりの積載量に対応する積載量情報と、前記第８データセットに含まれる前記必要部材情報、前記数量情報及び前記重量情報に基づいて、トラック１台あたりの前記必要部材情報、前記数量情報及び前記重量情報を算出し、トラック１台あたりの前記必要部材情報、前記数量情報及び前記重量情報を関連付けて第９データセットを生成する第６処理部を含んでもよい。
【００１７】
（１２）本発明に係る施工管理支援プログラムは、複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部と、前記第１情報が仮設足場である旨の情報である場合には、前記第１データセットに含まれる前記第２情報に対応する前記オブジェクトで必要とされる前記部材の種別に対応する必要部材情報と、前記部材の種別ごとの合計数量に対応する数量情報と、それぞれの前
記第２情報に対応する前記部材の種別に対応する部材情報及び前記部材の重量情報を含む第６データセットと前記部材情報及び前記数量情報とに基づいて算出される前記部材の種別ごとの合計重量に対応する合計重量情報と、を関連付けて第８データセットを生成する第５処理部と、してコンピューターを機能させる、施工管理支援プログラムである。
【００１８】
（１３）上述の施工管理支援プログラムにおいて、さらに、トラック１台あたりの積載量に対応する積載量情報と、前記第８データセットに含まれる前記必要部材情報、前記数量情報及び前記重量情報に基づいて、トラック１台あたりの前記必要部材情報、前記数量情報及び前記重量情報を算出し、トラック１台あたりの前記必要部材情報、前記数量情報及び前記重量情報を関連付けて第９データセットを生成する第６処理部としてコンピューターを機能させてもよい。
【００１９】
（１４）本発明に係る施工管理支援プログラムセットは、複数のオブジェクトを組み合わせて構成された画像データであって、それぞれの前記オブジェクトが仮設足場に関するものであるか否かの情報を含む第１情報と、それぞれの前記オブジェクトで必要とされる部材の種別及び前記部材の数量に関する情報を含む第２情報と、を含む前記画像データから、前記第１情報と前記第２情報とを関連付けて抽出して第１データセットを生成する第１処理部としてコンピューターを機能させる第１プログラムと、前記第１情報が仮設足場である旨の情報である場合には、前記第１データセットに含まれる前記第２情報に対応する前記オブジェクトで必要とされる前記部材の種別に対応する必要部材情報と、前記部材の種別ごとの合計数量に対応する数量情報と、それぞれの前記第２情報に対応する前記部材の種別に対応する部材情報及び前記部材の重量情報を含む第６データセットと前記部材情報及び前記数量情報とに基づいて算出される前記部材の種別ごとの合計重量に対応する合計重量情報と、を関連付けて第８データセットを生成する第５処理部としてコンピューターを機能させる第２プログラムと、を含む、施工管理支援プログラムセットである。
【００２０】
（１５）上述の施工管理支援プログラムセットにおいて、前記第２プログラムは、さらに、トラック１台あたりの積載量に対応する積載量情報と、前記第８データセットに含まれる前記必要部材情報、前記数量情報及び前記重量情報に基づいて、トラック１台あたりの前記必要部材情報、前記数量情報及び前記重量情報を算出し、トラック１台あたりの前記必要部材情報、前記数量情報及び前記重量情報を関連付けて第９データセットを生成する第６処理部としてコンピューターを機能させてもよい。
【００２１】
（１６）これらの発明によれば、施工管理に必要となるデータを効率よく作成できる施工管理支援システム、施工管理支援プログラム及び施工管理支援プログラムセットを提供することができる。
【図面の簡単な説明】
【００２２】
【図１】本実施形態に係る施工管理支援システム１の構成を示す機能ブロック図である。
【図２】本実施形態に係る施工管理支援プログラム２の構成を示す機能ブロック図である。
【図３】本実施形態に係る施工管理支援プログラムセット３の構成を示す機能ブロック図である。
【図４】第１動作例における第１処理部１０の動作を説明するためのフローチャートである。
【図５】図５（Ａ）は、画像データの概要を説明するための図、図５（Ｂ）は、画像データを構成するオブジェクトの概要を説明するための図である。
【図６】第１データセットの例を説明するための図である。
【図７】第１動作例における第２処理部２０の動作を説明するためのフローチャートである。
【図８】第２データセットの例を説明するための図である。
【図９】第３データセットの例を説明するための図である。
【図１０】第１動作例における第３処理部３０の動作を説明するためのフローチャートである。
【図１１】第４データセットの例を説明するための図である。
【図１２】第５データセットの例を説明するための図である。
【図１３】第２動作例における第１処理部１０の動作を説明するためのフローチャートである。
【図１４】図１４（Ａ）は、画像データの概要を説明するための図、図１４（Ｂ）は、画像データを構成するオブジェクトの概要を説明するための図である。
【図１５】第１データセットの例を説明するための図である。
【図１６】第２動作例における第４処理部４０の動作を説明するためのフローチャートである。
【図１７】第６データセットの例を説明するための図である。
【図１８】第７データセットの例を説明するための図である。
【図１９】第２動作例における第５処理部５０の動作を説明するためのフローチャートである。
【図２０】第８データセットの例を説明するための図である。
【図２１】第２動作例における第６処理部６０の動作を説明するためのフローチャートである。
【図２２】第９データセットの例を説明するための図である。
【発明を実施するための形態】
【００２３】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２４】
以下では、次のような順序にしたがって本発明の実施形態を説明する。
【００２５】
１．施工管理支援システムの構成
２．施工管理支援プログラムの構成
３．施工管理支援プログラムセットの構成
４．第１動作例
５．第２動作例
【００２６】
１．施工管理支援システムの構成
図１は、本実施形態に係る施工管理支援システム１の構成を示す機能ブロック図である。なお、本実施形態に係る施工管理支援システム１は、図１に示される構成要素をすべて含む必要はなく、その一部を省略した構成としてもよい。
【００２７】
本実施形態に係る施工管理支援システム１は、処理部１００と記憶部２００とを含んで構成されている。
【００２８】
処理部１００は、記憶部２００に格納されるプログラムやデータなどに基づいて、本実施形態の種々の処理を行う。処理部１００の機能は、各種プロセッサー（ＣＰＵ; Central Processing Unit、ＤＳＰ；Digital Signal Processor）、ＡＳＩＣ（Application Specific Integrated Circuit）などのハードウェアやプログラムによって実現される。
【００２９】
記憶部２００は、処理部１００で行われる種々の処理を実行するためのプログラムが格納されている。また、記憶部２００は、処理部１００が実行するプログラムのワークエリアとして機能してもよい。記憶部２００は、情報記憶媒体（コンピューターによって読み取り可能な媒体）であり、例えば、ハードディスク、磁気ディスク、光ディスク、光磁気ディスク、不揮発性メモリーなどのハードウェアによって実現される。
【００３０】
処理部１００は、第１処理部１０、第２処理部２０、第３処理部３０、第４処理部４０、第５処理部５０及び第６処理部６０うち少なことも一部の機能を実現する。なお、第１処理部１０、第２処理部２０、第３処理部３０、第４処理部４０、第５処理部５０及び第６処理部６０の動作例については、「４．第１動作例」の項、又は、「５．第２動作例」の項で後述される。
【００３１】
第１処理部１０は、例えば、複数のオブジェクトを組み合わせて構成された画像データであって、それぞれのオブジェクトの部位情報及び材質情報を含む第１情報と、それぞれのオブジェクトの仕様情報を含む第２情報と、を含む画像データから、第１情報と第２情報とを関連付けて抽出して第１データセットを生成してもよい。
【００３２】
第１処理部１０は、例えば、複数のオブジェクトを組み合わせて構成された画像データであって、それぞれのオブジェクトが仮設足場に関するものであるか否かの情報を含む第１情報と、それぞれのオブジェクトで必要とされる部材の種別及び部材の数量に関する情報を含む第２情報と、を含む画像データから、第１情報と第２情報とを関連付けて抽出して第１データセットを生成してもよい。
【００３３】
第２処理部２０は、例えば、全種類の第１情報と、それぞれの第１情報に対応する工種に関する工種情報、工種の単価情報及び工種情報に対応する時間歩掛情報のうち少なくとも１つを含む第２データセットから、第１データセットに含まれる第１情報に対応するデータを、第１情報と第２情報と関連付けて抽出して第３データセットを生成してもよい。
【００３４】
第３処理部３０は、例えば、全種類の工種に対応する工種情報と、当該工種を必要とするオブジェクトの第１情報とを含む第４データセットから、第１データセットに含まれる第１情報に対応するデータを、工種情報と第１情報とを関連付けて抽出して第５データセットを生成してもよい。
【００３５】
第４処理部４０は、例えば、第１情報が仮設足場である旨の情報である場合には、それぞれの第２情報に対応する部材の種別に対応する部材情報、部材の単価情報及び部材の重量情報のうち少なくとも１つを含む第６データセットから、第１データセットに含まれる第２情報に対応するデータを、第２情報と関連付けて抽出して第７データセットを生成してもよい。
【００３６】
第５処理部５０は、例えば、第１情報が仮設足場である旨の情報である場合には、第１データセットに含まれる第２情報に対応するオブジェクトで必要とされる部材の種別に対応する必要部材情報と、部材の種別ごとの合計数量に対応する数量情報と、それぞれの第２情報に対応する部材の種別に対応する部材情報及び部材の重量情報を含む第６データセットと部材情報及び数量情報とに基づいて算出される部材の種別ごとの合計重量に対応する合計重量情報と、を関連付けて第８データセットを生成してもよい。
【００３７】
第６処理部６０は、例えば、トラック１台あたりの積載量に対応する積載量情報と、第８データセットに含まれる必要部材情報、数量情報及び重量情報に基づいて、トラック１台あたりの必要部材情報、数量情報及び重量情報を算出し、トラック１台あたりの必要部材情報、数量情報及び重量情報を関連付けて第９データセットを生成してもよい。
【００３８】
２．施工管理支援プログラムの構成
図２は、本実施形態に係る施工管理支援プログラム２の構成を示す機能ブロック図である。なお、本実施形態に係る施工管理支援プログラム２は、図２に示される構成要素をすべて含む必要はなく、その一部を省略した構成としてもよい。
【００３９】
本実施形態に係る施工管理支援プログラム２は、第１処理部機能１１、第２処理部機能２１、第３処理部機能３１、第４処理部機能４１、第５処理部機能５１及び第６処理部機能６１を含んで構成されている。
【００４０】
第１処理部機能１１は、第１処理部１０としてコンピューターを機能させる。第１処理部１０の機能は、例えば、「１．施工管理支援システムの構成」の項で述べられた機能である。
【００４１】
第２処理部機能２１は、第２処理部２０としてコンピューターを機能させる。第２処理部２０の機能は、例えば、「１．施工管理支援システムの構成」の項で述べられた機能である。
【００４２】
第３処理部機能３１は、第３処理部３０としてコンピューターを機能させる。第３処理部３０の機能は、例えば、「１．施工管理支援システムの構成」の項で述べられた機能である。
【００４３】
第４処理部機能４１は、第４処理部４０としてコンピューターを機能させる。第４処理部４０の機能は、例えば、「１．施工管理支援システムの構成」の項で述べられた機能である。
【００４４】
第５処理部機能５１は、第５処理部５０としてコンピューターを機能させる。第５処理部５０の機能は、例えば、「１．施工管理支援システムの構成」の項で述べられた機能である。
【００４５】
第６処理部機能６１は、第６処理部６０としてコンピューターを機能させる。第６処理部６０の機能は、例えば、「１．施工管理支援システムの構成」の項で述べられた機能である。
【００４６】
３．施工管理支援プログラムセットの構成
図３は、本実施形態に係る施工管理支援プログラムセット３の構成を示す機能ブロック図である。なお、本実施形態に係る施工管理支援プログラムセット３は、図３に示される構成要素をすべて含む必要はなく、その一部を省略した構成としてもよい。
【００４７】
本実施形態に係る施工管理支援プログラムセット３は、第１プログラム３１０と第２プログラム３２０とを含んで構成されている。
【００４８】
第１プログラム３１０は、第１処理部機能１１を含んでいる。第１処理部機能１１の機能は、「２．施工管理支援プログラムの構成」の項で述べられた機能と同様である。
【００４９】
第２プログラム３２０は、第２処理部機能２１、第３処理部機能３１、第４処理部機能４１、第５処理部機能５１及び第６処理部機能６１を含んでいる。第２処理部機能２１、第３処理部機能３１、第４処理部機能４１、第５処理部機能５１及び第６処理部機能６１の機能は、「２．施工管理支援プログラムの構成」の項で述べられた機能と同様である。
【００５０】
４．第１動作例
第１動作例の説明においては、主として施工管理支援システム１を例にとり説明するが、施工管理支援プログラム２及び施工管理支援プログラムセット３の動作についても同様である。
【００５１】
図４は、第１動作例における第１処理部１０の動作を説明するためのフローチャートである。なお、図４に示されるフローチャートは、施工管理支援プログラムセット３における第１プログラム３１０がコンピューターに実行させる機能に相当する。
【００５２】
図４において、まず、第１処理部１０は、画像データを読み込む（ステップＳ１００）。
【００５３】
図５（Ａ）は、画像データの概要を説明するための図、図５（Ｂ）は、画像データを構成するオブジェクトの概要を説明するための図である。画像データは、複数のオブジェクが組み合わされて構成されている。
【００５４】
図５（Ａ）に示される画像データは、３次元ＣＡＤ（Computer Aided Design）ソフトウェアなどで作成された、建築物の躯体及び外装に関するデータ（躯体・外装データ）である。図５（Ｂ）に示されるオブジェクトは、画像データを構成するオブジェクトの例であり、例えば、柱オブジェクト、梁オブジェクト、壁オブジェクト、窓オブジェクトなどがある。
【００５５】
画像データは、画像データに含まれるそれぞれのオブジェクトの部位（上述の柱、梁、壁、窓などを表す）に関する情報である部位情報と、画像データに含まれるそれぞれのオブジェクトの材質（例えば、鉄筋、コンクリートなどを表す）に関する情報である第１情報を含んでいる。また、画像データは、画像データに含まれるそれぞれのオブジェクトの仕様（例えば、大きさなど）に関する情報である仕様情報を含む第２情報を含んでいる。
【００５６】
図４に戻り、ステップＳ１００の次に、第１処理部１０は、画像データに含まれる各オブジェクトの第１情報及び第２情報を抽出する（ステップＳ１０２）。
【００５７】
ステップＳ１０２の次に、第１処理部１０は、ステップＳ１０２で抽出した第１情報と第２情報とを関連付けて第１データセットを生成する（ステップＳ１０４）。
【００５８】
図６は、第１データセットの例を説明するための図である。図６に示されるように、第１データセットには、第１情報と第２情報とが関連付けられて格納されている。図６に示される例では、３行目以降の各行が、第１情報と第２情報の組み合わせとして示されている。
【００５９】
図７は、第１動作例における第２処理部２０の動作を説明するためのフローチャートである。なお、図７に示されるフローチャートは、施工管理支援プログラムセット３における第２プログラム３２０がコンピューターに実行させる機能に相当する。
【００６０】
図７において、まず、第２処理部２０は、第１データセットを読み込む（ステップＳ２００）。例えば、ステップＳ２００において、第２処理部２０は、第１データセットの各行を１行ずつ読み込み、読み込んだ１行毎に後述されるステップＳ２０２及びステップＳ２０４を繰り返し行なってもよい。
【００６１】
ステップＳ２００の次に、第２処理部２０は、第１データセットに含まれる第１情報に対応するデータを第２データセットから抽出する（ステップＳ２０２）。
【００６２】
図８は、第２データセットの例を説明するための図である。第２データセットは、全種類の第１情報と、それぞれの第１情報に対応する工種に関する情報である工種情報、当該工種情報に対応する単価に関する情報である単価情報及び当該工種情報に対応する時間歩掛に関する情報である時間歩掛情報のうち少なくとも１つを含んでいる。図８に示される例では、第２データセットは、第１情報と、工種情報、単価情報及び時間歩掛情報の全てを含んでいる。例えば、第１情報が鉄筋の柱である場合に、鉄筋の柱を組み上げるための工種（第１情報に付随する工種）が複数必要になる場合には、それぞれの第１情報に対応する工種情報、単価情報及び時間歩掛情報の組が複数存在してもよい。また、第２データセットには、使用され得る全ての第１情報に対応するデータが格納されている。
【００６３】
図７に戻り、ステップＳ２０２の次に、第２処理部２０は、ステップＳ２０２で抽出したデータ（例えば、工種情報、単価情報及び時間歩掛情報の組）と第１情報と第２情報とを関連付けて第３データセットを生成する（ステップＳ２０４）。
【００６４】
図９は、第３データセットの例を説明するための図である。図９に示されるように、第３データセットには、ステップＳ２０２で抽出した工種情報、単価情報及び時間歩掛情報の組と第１情報と第２情報とが関連付けられて格納されている。
【００６５】
第３データセットには、画像データに含まれるオブジェクトに関連する情報のみが格納されることになる。したがって、第３データセットを用いることによって、画像データに対応する躯体及び外装を建設するための費用や時間の見積が容易となる。
【００６６】
このように、本実施形態に係る施工管理支援システム１、施工管理支援プログラム２及び施工管理支援プログラムセット３によれば、施工管理に必要となるデータを効率よく作成できる施工管理支援システム、施工管理支援プログラム及び施工管理支援プログラムセットを提供することができる。
【００６７】
図１０は、第１動作例における第３処理部３０の動作を説明するためのフローチャートである。なお、図１０に示されるフローチャートは、施工管理支援プログラムセット３における第２プログラム３２０がコンピューターに実行させる機能に相当する。
【００６８】
図１０において、まず、第３処理部３０は、第１データセットを読み込む（ステップＳ３００）。例えば、ステップＳ３００において、第３処理部３０は、第１データセットの各行を１行ずつ読み込み、読み込んだ１行毎に後述されるステップＳ３０２及びステップＳ３０４を繰り返し行なってもよい。
【００６９】
ステップＳ３００の次に、第３処理部３０は、第１データセットに含まれる第１情報に対応するデータを第４データセットから抽出する（ステップＳ３０２）。
【００７０】
図１１は、第４データセットの例を説明するための図である。第４データセットには、全種類の工種に対応する工種情報と、当該工種を必要とするオブジェクトの第１情報とが関連付けられて含まれている。例えば、工種情報が地下鉄筋工事である場合に、地下鉄筋工事を必要とするオブジェクトが複数存在する場合には、それぞれの工種情報に対応する第１情報が複数存在してもよい。また、第４データセットには、使用され得る全ての工種に対応するデータが格納されている。
【００７１】
図１０に戻り、ステップＳ３０２の次に、第３処理部３０は、ステップＳ３０２で抽出したデータ（工種情報）と第１情報とを関連付けて第５データセットを生成する（ステップＳ３０４）。
【００７２】
図１２は、第５データセットの例を説明するための図である。図１２に示されるように、第５データセットには、ステップＳ３０２で抽出した工種情報と第１情報とが関連付けられて格納されている。
【００７３】
第５データセットには、画像データに含まれるオブジェクトに関連する情報のみが格納されることになる。したがって、第５データセットを用いることによって、画像データに対応する躯体及び外装を建設するたに必要となる工種やスケジュールの見積が容易となる。
【００７４】
このように、本実施形態に係る施工管理支援システム１、施工管理支援プログラム２及び施工管理支援プログラムセット３によれば、施工管理に必要となるデータを効率よく作成できる施工管理支援システム、施工管理支援プログラム及び施工管理支援プログラムセットを提供することができる。
【００７５】
５．第２動作例
第２動作例の説明においては、主として施工管理支援システム１を例にとり説明するが、施工管理支援プログラム２及び施工管理支援プログラムセット３の動作についても同様である。
【００７６】
図１３は、第２動作例における第１処理部１０の動作を説明するためのフローチャートである。なお、図１３に示されるフローチャートは、施工管理支援プログラムセット３における第１プログラム３１０がコンピューターに実行させる機能に相当する。
【００７７】
図１３において、まず、第１処理部１０は、画像データを読み込む（ステップＳ１１０）。
【００７８】
図１４（Ａ）は、画像データの概要を説明するための図、図１４（Ｂ）は、画像データを構成するオブジェクトの概要を説明するための図である。画像データは、複数のオブジェクが組み合わされて構成されている。
【００７９】
図１４（Ａ）に示される画像データは、３次元ＣＡＤ（Computer Aided Design）ソフトウェアなどで作成された、仮設足場に関するデータ（仮設足場データ）である。図１４（Ｂ）に示されるオブジェクトは、画像データを構成するオブジェクトの例であり、例えば、タイプＡオブジェクト、タイプＢオブジェクト、タイプＣオブジェクト、タイプＤオブジェクトなどがある。
【００８０】
画像データは、画像データに含まれるそれぞれのオブジェクトが仮設足場であるか否かの情報を含む第１情報を含んでいる。また、画像データは、画像データに含まれるそれぞれのオブジェクトで必要とされる部材の種別及び当該部材の数量に関する情報を含む第２情報を含んでいる。
【００８１】
図１３に戻り、ステップＳ１１０の次に、第１処理部１０は、画像データに含まれる各オブジェクトの第１情報及び第２情報を抽出する（ステップＳ１１２）。
【００８２】
ステップＳ１１２の次に、第１処理部１０は、ステップＳ１０２で抽出した第１情報と第２情報とを関連付けて第１データセットを生成する（ステップＳ１１４）。
【００８３】
図１５は、第１データセットの例を説明するための図である。図１５に示されるように、第１データセットには、第１情報と第２情報とが関連付けられて格納されている。図１
５に示される例では、２行目以降の各行が、第１情報と第２情報の組み合わせとして示されている。また、図１５に示される例では、第２情報のうち各桁が部材の種別に関する情報であり、各桁の値が当該部材の数量に関する情報である。例えば、第２情報が「１２２０」である場合には、当該オブジェクトは、部材Ａを１個、部材Ｂを２個、部材Ｃを２個、部材Ｄを０個必要とすることを表す。
【００８４】
図１６は、第２動作例における第４処理部４０の動作を説明するためのフローチャートである。なお、図１６に示されるフローチャートは、施工管理支援プログラムセット３における第２プログラム３２０がコンピューターに実行させる機能に相当する。
【００８５】
図１６において、まず、第４処理部４０は、第１データセットを読み込む（ステップＳ４００）。例えば、ステップＳ４００において、第４処理部４０は、第１データセットの各行を１行ずつ読み込み、読み込んだ１行毎に後述されるステップＳ４０２及びステップＳ４０４を繰り返し行なってもよい。
【００８６】
ステップＳ４００の次に、第４処理部４０は、第１データセットに含まれる第１情報が仮設足場である旨の情報である場合には、第１データセットに含まれる第２情報に対応するデータを第６データセットから抽出する（ステップＳ４０２）。
【００８７】
図１７は、第６データセットの例を説明するための図である。第６データセットは、それぞれの第２情報に対応する部材の種別に対応する部材情報、当該部材の単価情報及び当該部材の重量情報のうち少なくとも１つを含んでいる。図１７に示される例では、第６データセットは、部材情報、単価情報及び重量情報の全てを含んでいる。また、第６データセットには、使用され得る全ての部材に対応するデータが格納されている。
【００８８】
図１６に戻り、ステップＳ４０２の次に、第４処理部４０は、ステップＳ４０２で抽出したデータ（例えば、部材情報、単価情報及び重量情報の組）と第２情報とを関連付けて第７データセットを生成する（ステップＳ４０４）。
【００８９】
図１８は、第７データセットの例を説明するための図である。図１８に示されるように、第７データセットには、ステップＳ４０２で抽出した工種情報、部材情報、単価情報及び重量情報の組と第２情報とが関連付けられて格納されている。
【００９０】
第７データセットには、画像データに含まれるオブジェクトに関連する情報のみが格納されることになる。したがって、第７データセットを用いることによって、画像データに対応する仮設足場を建設するための費用の見積が容易となる。
【００９１】
このように、本実施形態に係る施工管理支援システム１、施工管理支援プログラム２及び施工管理支援プログラムセット３によれば、施工管理に必要となるデータを効率よく作成できる施工管理支援システム、施工管理支援プログラム及び施工管理支援プログラムセットを提供することができる。
【００９２】
図１９は、第２動作例における第５処理部５０の動作を説明するためのフローチャートである。なお、図１９に示されるフローチャートは、施工管理支援プログラムセット３における第２プログラム３２０がコンピューターに実行させる機能に相当する。
【００９３】
図１９において、まず、第５処理部５０は、第１データセットを読み込む（ステップＳ５００）。例えば、ステップＳ５００において、第５処理部５０は、第１データセットの各行を１行ずつ読み込み、読み込んだ１行毎に後述されるステップＳ５０２及びステップＳ５０４を繰り返し行なってもよい。
【００９４】
ステップＳ５００の次に、第５処理部５０は、第１データセットに含まれる第１情報が仮設足場である旨の情報である場合には、第１データセットに含まれる第２情報と、第６データセットとに基づいて、部材の種別ごとの合計数量を算出する（ステップＳ５０２）。より具体的には、第５処理部５０は、第１データセットに含まれる第２情報に対応するオブジェクトで必要とされる部材の種別に対応する必要部材情報と、第１データセットに含まれる第２情報に対応するオブジェクトで必要とされる部材の種別ごとの合計数量に対応する数量情報と、それぞれの第２情報に対応する部材の種別に対応する部材情報及び当該部材の重量情報を含む第６データセットとに基づいて、部材の種別ごとの合計重量を算出する。第６データセットは、図１７を用いて説明したデータセットである。
【００９５】
ステップＳ５０２の次に、第５処理部５０は、上述の必要部材情報と、上述の数量情報と、上述の合計重量情報とを関連付けて第８データセットを生成する（ステップＳ５０４）。
【００９６】
図２０は、第８データセットの例を説明するための図である。図２０に示されるように、第８データセットには、上述の必要部材情報と、上述の数量情報と、上述の合計重量情報とが関連付けられて格納されている。
【００９７】
第８データセットには、画像データに含まれるオブジェクトに関連する情報のみが格納されることになる。したがって、第８データセットを用いることによって、画像データに対応する仮設足場を建設するたに必要となる部材の数量や重量の見積が容易となる。
【００９８】
このように、本実施形態に係る施工管理支援システム１、施工管理支援プログラム２及び施工管理支援プログラムセット３によれば、施工管理に必要となるデータを効率よく作成できる施工管理支援システム、施工管理支援プログラム及び施工管理支援プログラムセットを提供することができる。
【００９９】
図２１は、第２動作例における第６処理部６０の動作を説明するためのフローチャートである。なお、図２１に示されるフローチャートは、施工管理支援プログラムセット３における第２プログラム３２０がコンピューターに実行させる機能に相当する。
【０１００】
図２１において、まず、第６処理部６０は、トラック１台あたりの積載量に対応する積載量情報と、第８データセットとを読み込む（ステップＳ６００）。
【０１０１】
ステップＳ６００の次に、第６処理部６０は、ステップＳ６００で読み込んだ積載量情報、必要部材情報、数量情報及び重量情報に基づいて、トラック１台あたりの必要部材情報、数量情報及び重量情報を算出する（ステップＳ６０２）。
【０１０２】
ステップＳ６０２の次に、第６処理部６０は、トラック１台あたりの必要部材情報、数量情報及び重量情報を関連付けて第９データセットを生成する（ステップＳ６０４）。
【０１０３】
図２２は、第９データセットの例を説明するための図である。図２２に示されるように、第９データセットには、トラック１台あたりの必要部材情報と、トラック１台あたりの数量情報と、トラック１台あたりの重量情報とが関連付けられて格納されている。
【０１０４】
第９データセットには、画像データに含まれるオブジェクトに関連する情報のみが格納されることになる。したがって、第９データセットを用いることによって、画像データに対応する仮設足場を建設するたに必要となるトラックの台数の見積が容易となる。
【０１０５】
このように、本実施形態に係る施工管理支援システム１、施工管理支援プログラム２及び施工管理支援プログラムセット３によれば、施工管理に必要となるデータを効率よく作成できる施工管理支援システム、施工管理支援プログラム及び施工管理支援プログラムセットを提供することができる。
【０１０６】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１０７】
１…施工管理支援システム、２…施工管理支援プログラム、３…施工管理支援プログラムセット、１０…第１処理部、１１…第１処理部機能、２０…第２処理部、２１…第２処理部機能、３０…第３処理部、３１…第３処理部機能、４０…第４処理部、４１…第４処理部機能、５０…第５処理部、５１…第５処理部機能、６０…第６処理部、６１…第６処理部機能、１００…処理部、２００…記憶部、３１０…第１プログラム、３２０…第２プログラム
【図１】
2014203292.tif 000003
【図２】
2014203292.tif 000004
【図３】
2014203292.tif 000005
【図４】
2014203292.tif 000006
【図６】
2014203292.tif 000007
【図７】
2014203292.tif 000008
【図８】
2014203292.tif 000009
【図９】
2014203292.tif 000010
【図１０】
2014203292.tif 000011
【図１１】
2014203292.tif 000012
【図１２】
2014203292.tif 000013
【図１３】
2014203292.tif 000014
【図１５】
2014203292.tif 000015
【図１６】
2014203292.tif 000016
【図１７】
2014203292.tif 000017
【図１８】
2014203292.tif 000018
【図１９】
2014203292.tif 000019
【図２０】
2014203292.tif 000020
【図２１】
2014203292.tif 000021
【図２２】
2014203292.tif 000022
【図５】
2014203292.tif 000023
【図１４】
2014203292.tif 000024